(57)【要約】【課題】従来、サーバからネットワークを介して当該試運転を実施することで設置工事を容易にするものが知られている。しかし一定の地域あるいは集合住宅などについて一括して複数の設備機器の設置工事をした場合などでは、設備機器１つずつに対して試運転を行うのでは効率が悪く、また、試運転の実施漏れが発生する恐れがあるという課題があった。【解決手段】ネットワーク３を介して設備機器１の試運転を実施可能な試運転システムであって、設備機器１は、試運転を実施する試運転手段１２と、設備機器１を設置した地域のグループを示すグループ識別子を記憶するグループ識別子記憶手段１１を備え、サーバ２は、ネットワーク３を介して設備機器１に対して試運転の開始命令を行う遠隔試運転手段１５を備え、サーバ２はネットワーク３を介してグループ識別子を指定して１つ以上の設備機器１に対して試運転の開始命令可能に構成している。【選択図】図１
2007032930.tif 000002
【特許請求の範囲】
【請求項１】
ネットワークを介して設備機器の試運転を実施可能な試運転システムであって、１つ以上の設備機器とサーバとを備え、
前記設備機器は、前記設備機器の試運転を実施する試運転手段と、前記設備機器を設置した所属地域のグループを示すグループ識別子を記憶するグループ識別子記憶手段とを備え、
前記サーバは、前記ネットワークを介して前記設備機器に対して試運転の開始命令を行う遠隔試運転手段を備え、前記グループ識別子を指定して１つ以上の前記設備機器に対して試運転の開始命令可能な試運転システム。
【請求項２】
前記設備機器は試運転の開始時刻を記憶する試運転開始時刻記憶手段を備え、前記サーバはネットワークを介して前記設備機器に対して試運転の開始時刻を設定する試運転開始時刻記憶手段を備え、同一のグループ識別子を持つ複数の前記設備機器に対してそれぞれ異なる試運転の開始時刻を設定することを特徴とする請求項１に記載の試運転システム。
【請求項３】
前記設備機器は深夜電力時間帯を記憶する深夜電力時間帯記憶手段を備え、前記サーバはネットワークを介して前記設備機器に対して深夜電力時間帯を設定可能であることを特徴とする請求項１または２に記載の試運転システム。
【請求項４】
請求項１から３のいずれかに記載の試運転システムの少なくとも１つの手段をコンピュータに実行させるためのプログラム。
【発明の詳細な説明】
【技術分野】
【０００１】
本発明は、設備機器について、ネットワークを介して遠隔試運転を実施する試運転システムとそのプログラムに関する。
【背景技術】
【０００２】
従来、設備機器は設置工事時に試運転を実施する必要がある。例えば、電気温水器やＣＯ２ヒートポンプ給湯機などの設備機器は、設置工事時に給湯機が有する貯湯タンク内の温水の生成を試験する温水生成試運転や、浴槽への湯張りを試験する湯張り試運転を実施する必要がある。
【０００３】
また、当該設備機器のコントローラに試運転が完了したか否かを示す表示をし、試運転が完了するとネットワークを介してサーバへ情報を送信することで試運転の未実施を防ぐものが知られている（たとえば特許文献１参照）。
【０００４】
また、サーバからネットワークを介して当該試運転を実施することで設置工事を容易にするものが知られている（たとえば特許文献２参照）。
【特許文献１】特開２００４−３５６６９６号公報
【特許文献２】特開２００２−１３０７６４号公報
【発明の開示】
【発明が解決しようとする課題】
【０００５】
従来、設備機器の試運転は設置工事時に施工者が実施するものである。また、前記のように実施すれば現場の状況を容易に把握出来るため、前記設備機器を正確に設置するという側面だけを見れば最良の形態と言える。
【０００６】
しかしながら人間が実施する為、例えば特許文献１のように試運転が完了したか否かを示す表示をしたとしても、施工者が見落とす恐れがあり、また、意識して試運転を実施しない施工者に対しては何ら効果が無く試運転の実施漏れを防ぐことが出来ないという課題があった。
【０００７】
この場合に対し、特許文献２のようにすれば、現場に再度行くこと無く、設置工事時に試運転が完了していない前記設備機器１つずつに対してネットワークを介して試運転を実施可能である。
【０００８】
しかし、一定の地域あるいは集合住宅などについて一括して設備機器の設置工事をした場合などでは、前記設備機器１つずつに対して試運転を行うのでは効率が悪く、当該設備機器すべてに対して一括して試運転を行うべきであり、また、このようにする事で試運転の実施漏れを防ぐ効果もある。
【課題を解決するための手段】
【０００９】
本発明は、ネットワークを介して設備機器の試運転を実施可能な試運転システムであって、１つ以上の設備機器とサーバを備え、前記設備機器は、前記設備機器の試運転を実施する試運転手段と、前記設備機器を設置した所属地域のグループを示すグループ識別子を記憶するグループ識別子記憶手段を備え、前記サーバはネットワークを介して前記設備機器に対して試運転の開始命令を行う遠隔試運転手段を備え、前記サーバはネットワークを介して前記グループ識別子を指定して１つ以上の前記設備機器に対して試運転の開始命令可能に構成している。
【発明の効果】
【００１０】
本発明によれば、一定の地域あるいは一定の集合住宅などに対して一括して設備機器の設置工事をした場合に、当該設備機器のグループ識別子を同一にする事で、当該設備機器に対して一括してネットワークを介して試運転を実施することが出来る。
【発明を実施するための最良の形態】
【００１１】
第１の発明は、ネットワークを介して設備機器の試運転を実施可能な試運転システムであって、１つ以上の設備機器とサーバを備え、前記設備機器は、前記設備機器の試運転を実施する試運転手段と、前記設備機器を設置した所属地域のグループを示すグループ識別子を記憶するグループ識別子記憶手段を備え、前記サーバはネットワークを介して前記設備機器に対して試運転の開始命令を行う遠隔試運転手段を備え、前記サーバはネットワークを介して前記グループ識別子を指定して１つ以上の前記設備機器に対して試運転の開始命令可能な試運転システムを提供するものである。
【００１２】
これによって本発明は、一定の地域あるいは一定の集合住宅などに対して一括して複数の設備機器の設置工事をした場合に、当該設備機器のグループ識別子を同一にする事で、当該設備機器に対して一括してネットワークを介して試運転を実施することが出来る。
【００１３】
第２の発明は、第１の発明において、前記設備機器は試運転の開始時刻を記憶する試運転開始時刻記憶手段を備え、前記サーバはネットワークを介して前記設備機器に対して試運転の開始時刻を設定する試運転開始時刻記憶手段を備え、同一のグループ識別子を持つ複数の前記設備機器に対してそれぞれ異なる試運転の開始時刻を設定することを特徴とする試運転システムを提供するものである。
【００１４】
これによって本発明は、各々の前記設備機器において試運転の開始時刻を異なる値に設定することで、１つの前記設備機器における前記試運転手段の開始時刻と他の前記設備機器における前記試運転手段の開始時刻が重なることを回避出来る。
【００１５】
特に、前記設備機器がマンション等に設置され、マンション全体で同一のグループ識別子が記憶されており、また、当該試運転が例えば風呂への湯はりのような、水を使用する試運転であった場合、マンション内で使用される水はマンション屋上に設置された貯水タンクから供給される事が一般的であり、マンション全体で一斉に風呂へ湯はりを行うと貯水タンク内の水が不足する恐れがあるため有効である。
【００１６】
第３の発明は、第１または第２の発明において、前記設備機器は深夜電力時間帯を記憶する深夜電力時間帯記憶手段を備え、前記サーバはネットワークを介して前記設備機器に対して深夜電力時間帯を設定可能であることを特徴とする試運転システムを提供するものである。
【００１７】
これによって本発明は、ネットワークを介して深夜電力時間帯を設定することで、施工者が現場に行くこと無く深夜電力時間帯を設定することが出来る。特に施工者が深夜電力時間帯の設定を忘れた時に、再度現場に行くこと無く設定できるため有効である。
【００１８】
たとえば、第３の発明において、前記深夜電力時間帯記憶手段で記憶した深夜電力時間帯内に前記試運転手段が完了するように、同一のグループ識別子を持つ複数の前記設備機器に対してそれぞれ異なる試運転の開始時刻を設定することが可能となる。
【００１９】
これによって、電気料金が安価な深夜電力時間帯に試運転をすることが出来る。
【００２０】
特に、前記設備機器がマンション等に設置され、マンション全体で同一のグループ識別子が記憶されており、また、当該試運転が例えば風呂への湯はりのような、水を使用する試運転であった場合、マンション内で使用される水はマンション屋上に設置された貯水タンクから供給される事が一般的であり、マンション全体で一斉に風呂へ湯はりを行うと貯水タンク内の水が不足する恐れがあるため有効である。
【００２１】
第４の発明は、第１から３の発明のいずれかに記載の試運転システムの少なくとも１つの手段をコンピュータに実行させるためのプログラムである。そして、プログラムであるので、電気・情報機器、コンピュータ、サーバ等のハードリソースを協働させて本発明の試運転システムの少なくとも一部を容易に実現することができる。また記録媒体に記録したり通信回線を用いてプログラムを配信したりすることでプログラムの配布・更新やそのインストール作業が簡単にできる。
【００２２】
以下、本発明の実施の形態について、図面を用いて一実施形態について詳細に説明する。なお、この実施の形態によって本発明が限定されるものではない。
【００２３】
（実施の形態１）
以下、本発明の実施の形態１における試運転システムについて、図面を参照しながら説明する。
【００２４】
図１は実施の形態１の、試運転システム全体を概略的に示す構成説明図である。
【００２５】
図１において、設備機器１はインターネット３を介してサーバ２と接続している。設備機器１は、前記設備機器を設置した所属地域のグループを示すグループ識別子を記憶するグループ識別子記憶手段１１と、設備機器１の試運転を実施する試運転手段１２と、施工者への表示を行う表示手段１３と、インターネット３を介して通信を行う設備機器側通信手段１４とを備える。
【００２６】
また、サーバ２は、インターネット３を介してグループ識別子を指定して設備機器１に対して試運転の開始命令を行う遠隔試運転手段１５と、ユーザからの入力を受ける入力手段１６と、インターネット３を介して通信を行うサーバ側通信手段１７と、各々の設備機器１に記憶されているグループ識別子の情報を蓄積するグループ識別子情報蓄積手段１８とを備える。
【００２７】
また、第１のマンション４に複数の設備機器１を設置し、第２のマンション５にも複数の設備機器１を設置している。
【００２８】
なお、設備機器１にはヒートポンプ給湯機、サーバ２にはワークステーション、設備機器側通信手段１４およびサーバ側通信手段１７にはインターネットを介してＴＣＰ／ＩＰ通信を行うネットワークインターフェースカード、試運転手段１２にはマイクロコンピュータ、遠隔試運転手段１５、グループ識別子情報蓄積手段１８にはサーバ２内のプログラム、入力手段１６にはキーボード、表示手段１３にはＬＣＤを用いることでこの構成を容易に実現できる。
【００２９】
以下、実施の形態１における動作について説明する。
【００３０】
第１のマンション４に設置した設備機器１のグループ識別子記憶手段１１には所属地域のグループが第１のマンション４である事を記憶させ、第２のマンション５に設置した設備機器１のグループ識別子記憶手段１１には所属地域のグループが第２のマンション５である事を記憶させる。
【００３１】
第１のマンション４に設置した設備機器１に対して試運転を実施する場合、ユーザがサーバ２の入力手段１６を用いて第１のマンション４を指定し遠隔試運転手段１５を動作させる。遠隔試運転手段１５はグループ識別子情報蓄積手段１８に蓄積された情報に基づきグループ識別子が第１のマンション４である設備機器１を選択し、サーバ側通信手段１７および設備機器側通信手段１４を通じて、当該設備機器１に試運転開始命令情報を送信する。設備機器１では当該情報を受信すると、試運転手段１２を用いて試運転を実施する。
【００３２】
なお、遠隔試運転手段１５による試運転中にはその旨を表示手段１３に表示するよう構成してもよい。特にサーバ２からネットワークを介して試運転を行うので、サーバ２の入力手段を操作する人以外が設備機器１を見ているような場合に有効である。
【００３３】
なお、グループ識別子記憶手段１１にグループ識別子を設定する手段は設備機器１にあってもよいし、サーバ２にあってもよい。
【００３４】
なお、グループ識別子情報蓄積手段１８へ各々の設備機器1のグループ識別子を登録するには、ユーザがサーバ２の入力手段１６から入力してもよいし、設備機器１からネットワークを介してグループ識別子の情報を送信するよう構成してもよい。
【００３５】
（実施の形態２）
また、設備機器１は試運転の開始時刻を記憶する試運転開始時刻記憶手段を備え、前記サーバはネットワークを介して設備機器に対して試運転の開始時刻を設定可能であるよう構成してもよい。
【００３６】
図２は実施の形態２の、当該試運転システム全体を概略的に示す構成説明図である。
【００３７】
図２において、設備機器1は試運転の開始時刻を記憶する試運転開始時刻記憶手段２１を備え、サーバ２はネットワークを介して試運転開始時刻記憶手段２１に対して試運転の開始時刻を設定する遠隔試運転開始時刻設定手段２２を備える。他については実施の形態１（図１）と同じであるので詳細な説明を省く。
【００３８】
なお、試運転開始時刻記憶手段２１にはマイクロコンピュータ、遠隔試運転開始時刻設定手段２２にはサーバ２内のプログラムを用いることでこの構成を用意に実現できる。
【００３９】
以下、実施の形態２の当該試運転システムにおける動作について説明する。
【００４０】
第１のマンション４に設置した設備機器１に対して各々の設備機器１について試運転を異なる時刻に開始させる場合、ユーザがサーバ２の入力手段１６を用いて各々の設備機器１について試運転の開始時刻に各々異なる値を入力し遠隔試運転開始時刻設定手段２２を動作させる。遠隔試運転開始時刻設定手段２２はサーバ側通信手段１７および設備機器側通信手段１４を通じて、各々の設備機器１に対して試運転の開始時間が各々異なるよう値を設定して遠隔試運転開始時刻設定情報を送信する。設備機器１では当該情報を受信すると、試運転開始時刻記憶手段２１に試運転の開始時刻を設定する。
【００４１】
そして、第１のマンション４に設置した設備機器１に対して試運転を実施する場合、ユーザがサーバ２の入力手段１６を用いて第１のマンション４を指定し遠隔試運転手段１５を動作させる。遠隔試運転手段１５はグループ識別子情報蓄積手段１８に蓄積された情報に基づきグループ識別子が第１のマンション４である設備機器１を選択し、サーバ側通信手段１７および設備機器側通信手段１４を通じて、当該設備機器１に試運転開始命令情報を送信する。設備機器１では当該情報を受信すると、試運転手段１２は試運転開始時刻記
憶手段２１に記憶された開始時刻になると試運転を実施する。これにより、各々の設備機器１が異なる時刻に試運転手段１２を動作させる。
【００４２】
なお、遠隔試運転開始時刻設定手段２２により試運転開始時刻が設定された場合にはその旨を表示手段１３に表示するよう構成してもよい。特にサーバ２からネットワークを介して試運転を行うので、サーバ２の入力手段を操作する人以外が設備機器１を見ているような場合に有効である。
【００４３】
なお、各々の設備機器1の前記試運転開始時刻記憶手段２１に対して同時刻を記憶させる事で、当該設備機器１について同時刻に試運転を開始することも可能である。
【００４４】
（実施の形態３）
以下、本発明の実施の形態３における試運転システムについて、図面を参照しながら説明する。
【００４５】
図３は実施の形態３の、試運転システム全体を概略的に示す構成説明図である。
【００４６】
図３において、設備機器１は深夜電力時間帯を記憶する深夜電力時間帯記憶手段３１を備え、サーバ２はネットワークを介して深夜電力時間帯記憶手段３１に対して深夜電力時間帯を設定する遠隔深夜電力時間帯設定手段３２を備える。他については実施の形態２（図２）と同じであるので詳細な説明を省く。
【００４７】
なお、深夜電力時間帯記憶手段３１にはマイクロコンピュータ、遠隔深夜電力時間帯設定手段３２にはサーバ２内のプログラムを用いることでこの構成を用意に実現できる。
【００４８】
以下、実施の形態３における動作について説明する。
【００４９】
各々の設備機器１について深夜電力時間帯を設定する場合、ユーザがサーバ２の入力手段１６を用いて各々の設備機器１について深夜電力時間帯を入力し遠隔深夜電力時間帯設定手段３２を動作させる。遠隔深夜電力時間帯設定手段３２はサーバ側通信手段１７および設備機器側通信手段１４を通じて、各々の設備機器１に深夜電力時間帯情報を送信する。設備機器１では当該情報を受信すると、深夜電力時間帯記憶手段３１に深夜電力時間帯を設定する。
【００５０】
なお、遠隔深夜電力時間帯設定手段３２により深夜電力時間帯が設定された場合にはその旨を表示手段１３に表示するよう構成してもよい。特にサーバ２からネットワークを介して深夜電力時間帯の設定を行うので、サーバ２の入力手段を操作する人以外が設備機器１を見ているような場合に有効である。
【００５１】
なお、グループ識別子情報蓄積手段１８に基づき同一グループ識別子を記憶する複数の設備機器１に対して一斉に深夜電力時間帯情報を送信するよう構成してもよい。
【００５２】
また、深夜電力時間帯記憶手段３１で記憶した深夜電力時間帯内に試運転手段１２が完了するように、同一のグループ識別子を持つ複数の設備機器１に対してそれぞれ異なる試運転の開始時刻を設定するよう構成してもよい。
【００５３】
図４は実施の形態３の、当該試運転システム全体を概略的に示す構成説明図である。
【００５４】
図４において、サーバ２は遠隔深夜電力時間帯設定手段３２を用いて設備機器１の深夜電力時間帯記憶手段３１に記憶した深夜電力時間帯を記憶するサーバ側深夜電力時間帯記
憶手段３３を備える。他については実施の形態３（図３）と同じであるので詳細な説明を省く。
【００５５】
なお、サーバ側深夜電力時間帯記憶手段３３にはサーバ２内のプログラムを用いることでこの構成を用意に実現できる。
【００５６】
以下、実施の形態３の当該試運転システムにおける動作について説明する。
【００５７】
第１のマンション４に設置した設備機器１に対して試運転を実施する場合、サーバ２では入力手段１６を用いて設備機器１の試運転手段１２における試運転の実行時間を入力する。
【００５８】
遠隔試運転開始時刻設定手段２２はサーバ側通信手段１７および設備機器側通信手段１４を通じて、第１のマンション４に設置した設備機器１に、深夜電力時間帯の開始時間から、深夜電力時間帯の終了時間より試運転手段１２の実行時間を差し引いた時間までの間で、試運転の開始時間が各々異なるよう値を変更して遠隔試運転開始時刻設定情報を送信する。
【００５９】
そして、第１のマンション４に設置した設備機器１に対して試運転を実施する場合、ユーザがサーバ２の入力手段１６を用いて第１のマンション４を指定し遠隔試運転手段１５を動作させる。遠隔試運転手段１５はグループ識別子情報蓄積手段１８に蓄積された情報に基づきグループ識別子が第１のマンション４である設備機器１を選択し、サーバ側通信手段１７および設備機器側通信手段１４を通じて、当該設備機器１に試運転開始命令情報を送信する。設備機器１では当該情報を受信すると、試運転手段１２は試運転開始時刻記憶手段２１に記憶された開始時刻になると試運転を実施する。
【００６０】
これにより、各々の設備機器１が深夜電力時間帯内の異なる時刻に試運転手段１２を動作させ完了させる。
【００６１】
なお、サーバ２は試運転の実行時間を設備機器１から取得できるよう構成してもよい。
【００６２】
（実施の形態４）
以下、本発明の実施の形態４における試運転システムについて、図面を参照しながら説明する。
【００６３】
図５は実施の形態４の、試運転システム全体を概略的に示す構成説明図である。
【００６４】
図５において、設備機器１は時刻を記憶する時刻記憶手段５１を備え、サーバ２はネットワークを介して時刻記憶手段５１に対して時刻を設定する遠隔時刻設定手段５２を備える。他については実施の形態３（図３）と同じであるので詳細な説明を省く。
【００６５】
なお、時刻記憶手段５１にはマイクロコンピュータ、遠隔時刻設定手段５２にはサーバ２内のプログラムを用いることでこの構成を用意に実現できる。
【００６６】
以下、実施の形態４における動作について説明する。
【００６７】
各々の設備機器１について時刻を設定する場合、ユーザがサーバ２の入力手段１６を用いて各々の設備機器１について時刻を入力し遠隔時刻設定手段５２を動作させる。遠隔時刻設定手段５２はサーバ側通信手段１７および設備機器側通信手段１４を通じて、各々の設備機器１に時刻情報を送信する。設備機器１では当該情報を受信すると、時刻記憶手段
３１に時刻を設定する。
【００６８】
なお、遠隔時刻設定手段５２により時刻が設定された場合にはその旨を表示手段１３に表示するよう構成してもよい。特にサーバ２からネットワークを介して時刻の設定を行うので、サーバ２の入力手段を操作する人以外が設備機器１を見ているような場合に有効である。
【００６９】
なお、グループ識別子情報蓄積手段１８に基づき同一グループ識別子を記憶する複数の設備機器１に対して一斉に時刻情報を送信するよう構成してもよい。
【００７０】
なお、サーバ２にサーバ側時刻記憶手段を備えるよう構成し、遠隔時刻設定手段５２は前記サーバ側時刻記憶手段に記憶された時刻を各々の設備機器１に時刻情報を送信してもよい。
【００７１】
なお、本実施の形態で説明した手段は、ＣＰＵ（またはマイクロコンピュータ）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００７２】
本発明の試運転システムとそのプログラムは、マンションの各部屋に設置するような設備機器に対して、漏れなく試運転を行う事が出来る。また、試運転に限らず、ネットワークを介して、多数ある機器のうち、複数の特定の前記機器を指定して、機能を実行させるような場合にも有効である。
【図面の簡単な説明】
【００７３】
【図１】本発明の実施の形態１における試運転システム全体を概略的に示す構成説明図
【図２】本発明の実施の形態２における試運転システム全体を概略的に示す構成説明図
【図３】本発明の実施の形態３における試運転システム全体を概略的に示す構成説明図
【図４】同実施の形態３における試運転システム全体を概略的に示す構成説明図
【図５】本発明の実施の形態４における試運転システム全体を概略的に示す構成説明図
【符号の説明】
【００７４】
１  設備機器
２  サーバ
３  インターネット（ネットワーク）
４  第１のマンション
５  第２のマンション
１１  グループ識別子記憶手段
１２  試運転手段
１３  表示手段
１４  設備機器側通信手段
１５  遠隔試運転手段
１６  入力手段
１７  サーバ側通信手段
１８  グループ識別子情報蓄積手段
２１  試運転開始時刻記憶手段
２２  遠隔試運転開始時刻設定手段
３１  深夜電力時間帯記憶手段
３２  遠隔深夜電力時間帯設定手段
３３  サーバ側深夜電力時間帯記憶手段
５１  時刻記憶手段
５２  遠隔時刻設定手段
【図１】
2007032930.tif 000003
【図２】
2007032930.tif 000004
【図３】
2007032930.tif 000005
【図４】
2007032930.tif 000006
【図５】
2007032930.tif 000007